(57)【要約】
【課題】　携帯電話機やデジタルカメラに何らの対策も講じることなく、それらの補助電源として用いることができる補助電源装置を提供する。
【解決手段】　携帯電話機Ｐの直流入力端子を相手方コネクタとする第１出力コネクタ２と、デジタルカメラＣの直流入力端子を相手方コネクタとする第２出力コネクタ３と、電源としての乾電池を収容する電源収容部１２と、電源収容部１２に収容された乾電池の１次出力電圧を低電圧と高電圧との２種類の２次出力電圧に択一的に切り換えて上記第１又は第２の出力コネクタに印加する電圧切換え手段と、を備える。筐体１に第２出力コネクタ３を着脱するためのフック部１７を備えている。
【選択図】　　　　図１
0003099614.tif 000002
【実用新案登録請求の範囲】
【請求項１】
異種タイプの直流入力端子を備えかつ異なる動作電圧に適合する第１及び第２の２種類の携行用機器に共用される携行用機器の共用補助電源装置において、
　第１携行用機器の直流入力端子を相手方コネクタとする第１出力コネクタと、
　第２携行用機器の直流入力端子を相手方コネクタとする第２出力コネクタと、
　電源としての乾電池を収容する電源収容部と、
　電源収容部に収容された乾電池の１次出力電圧を低電圧と高電圧との２種類の２次出力電圧に択一的に切り換えて上記第１又は第２の出力コネクタに印加する電圧切換え手段と、
　を備えていることを特徴とする携行用機器の共用補助電源装置。
【請求項２】
第１携行用機器が携帯電話機であり、第２携行用機器がデジタルカメラであり、
　第１出力コネクタが、当該補助電源装置の筐体に固定され、かつ、携帯電話機の直流入力端子に嵌合することにより当該補助電源装置をその携帯電話機に結合して一体化することが可能な嵌合型端子であり、
　上記筐体に、デジタルカメラに備わっているカメラ設置台取付用ねじ孔に着脱されるねじ軸が備わっていると共に、第２出力コネクタが、上記筐体から引き出された弾性伸縮可能で常時は収縮している電気コードの先端に設けられている請求項１に記載した携行用機器の共用補助電源装置。
【請求項３】
上記第２出力コネクタが、上記デジタルカメラのピン型端子でなる直流入力端子に嵌脱される筒状電極とその筒状電極に設けられた把手部とを有し、上記筐体に、上記筒状電極を抜き差して上記第２出力コネクタを着脱するためのフック部が備わっている請求項２に記載した携行用機器の共用補助電源装置。
【考案の詳細な説明】
【技術分野】
【０００１】
　本考案は、携行用機器、たとえば携帯電話機やデジタルカメラなどの携行用機器に共用可能な携行用機器の共用補助電源装置に関する。
【背景技術】
【０００２】
　携行用機器としてのデジタルカメラは、その電源に、充電式の専用バッテリーを用いるもの、市販の汎用乾電池を用いるものなどがある。また、ほとんどのデジタルカメラは、交流電源コンセントからコンバータで直流に変換した電力を用い得る仕様になっている。そのため、ほとんどのデジタルカメラには直流入力端子が備わっていて、交流電源コンセントとデジタルカメラの直流入力端子とをコンバータを備えた接続コードで接続すれば、上記した専用バッテリーや乾電池による電力の有無に関係なく使用することができる。
【０００３】
　ところで、デジタルカメラは、撮影後に現像するといった手間をかけずに撮影した画像を見ることができることなどのため、撮影に手軽に使用することができ、近時のデジタルカメラの普及は顕著である。しかし、その反面で、電源としての専用バッテリーや汎用乾電池（以下これらを「標準電源」という）の消耗が激しい。標準電源として汎用乾電池を用いる仕様のものでは、市販の汎用乾電池を持ち歩いたりその都度購入したりして、消耗した乾電池を新しい乾電池と交換すればよい。しかし、標準電源として専用バッテリーを用いる仕様のデジタルカメラでは、その専用バッテリーをその都度手軽に調達するということができないので、あらかじめ充電しておいた交換用の専用バッテリーを予備電源として余分に持ち歩く必要がある。
【０００４】
　一方、デジタルカメラと同様にその普及が著しい携行用機器としての携帯電話機では専用バッテリーが用いられており、その専用バッテリーの電力が減衰したときに充電器を用いて充電するということが行われている。しかし、近時の携帯電話機では機能性が高く、単なる通話だけでなく、文字や画像による各種情報通信手段としての利用頻度も高いために携行時の専用バッテリーの電力の減衰が著しく、携行時に専用バッテリーが電力が消耗して不慮に通信が行えなくなるという事態の起こるおそれが往々にしてある。
【考案の開示】
【考案が解決しようとする課題】
【０００５】
　そこで、本願考案者は、現在市販されている多くのデジタルカメラの動作電圧が４．２Ｖで作動するものと５Ｖで作動するものとに分類され、また、携帯電話機に関しては動作電圧が５Ｖのみで作動することを見い出し、そのことに着目して本考案を完成させるに至った。
【０００６】
　すなわち、本考案は、乾電池の１次出力電圧を低電圧と高電圧との２種類の２次出力電圧に択一的に切り換え、低電圧で動作する携行用機器にはそれに適合する低電圧を印加させることができ、高電圧で動作する携行用機器にはそれに適合する高電圧を印加させることができるような補助電源装置、すなわち携帯電話機やデジタルカメラといった携行用機器の標準電源としての専用バッテリーや汎用乾電池の電力が消耗したときの補助電源として使用することが可能な携行用機器の共用補助電源装置を提供することを目的とする。
【０００７】
　また、本考案は、使い勝手に優れた携行用機器の共用補助電源装置を提供することを目的とする。
【課題を解決するための手段】
【０００８】
　本考案に係る携行用機器の共用補助電源装置は、異種タイプの直流入力端子を備えかつ異なる動作電圧に適合する第１及び第２の２種類の携行用機器に共用される携行用機器の共用補助電源装置において、第１携行用機器の直流入力端子を相手方コネクタとする第１出力コネクタと、第２携行用機器の直流入力端子を相手方コネクタとする第２出力コネクタと、電源としての乾電池を収容する電源収容部と、電源収容部に収容された乾電池の１次出力電圧を低電圧と高電圧との２種類の２次出力電圧に択一的に切り換えて上記第１又は第２の出力コネクタに印加する電圧切換え手段と、を備えている、というものである。
【０００９】
　この構成を備えた補助電源装置は、第１及び第２の２種類の携行用機器のいずれに対しても、それらの標準電源の電力が減衰したときに補助電源装置として用いることができる。すなわち、電圧切換え手段によって乾電池の１次出力電圧を低電圧と高電圧との２種類の２次出力電圧に択一的に切り換えることによって、第１出力コネクタ又は第２出力コネクタを介して第１又は第２の携行用機器に適合する動作電圧を印加することが可能になる。したがって、第１又は第２の携行用機器の標準電源としての専用バッテリーや汎用乾電池の電力が消耗したときの補助電源として使用することが可能である。また、この補助電源装置の電源は乾電池であるので、当該補助電源装置の電源の電力が消耗したときには、市販の乾電池を購入して電源として使用することができるという利点がある。
【００１０】
　本考案では、第１携行用機器が携帯電話機であり、第２携行用機器がデジタルカメラであり、第１出力コネクタが、当該補助電源装置の筐体に固定され、かつ、携帯電話機の直流入力端子に嵌合することにより当該補助電源装置をその携帯電話機に結合して一体化することが可能な嵌合型端子であり、上記筐体に、デジタルカメラに備わっているカメラ設置台取付用ねじ孔に着脱されるねじ軸が備わっていると共に、第２出力コネクタが、上記筐体から引き出された弾性伸縮可能で常時は収縮している電気コードの先端に設けられている、という構成を採用することが望ましい。
【００１１】
　この構成であると、当該補助電源装置を第１携行用機器としての携帯電話機の補助電源として用いる場合、携帯電話機の直流入力端子に嵌合型端子である第１出力コネクタを嵌合すると、第１出力コネクタが当該補助電源装置を携帯電話機に結合して一体的に支持するので、携帯電話機と当該補助電源装置とを１つの一体化された機器として片手だけでそれらを取り扱うことができるようになるという利便がある。また、当該補助電源装置を第２携行用機器としてのデジタルカメラの補助電源として用いる場合、デジタルカメラの直流入力端子に第２出力コネクタを接続し、併せて、デジタルカメラのカメラ設置台取付用ねじ孔に、当該補助電源装置の筐体に備わっているねじ軸をねじ合わせると、デジタルカメラと当該補助電源装置とを１つの一体化された機器として片手だけでそれらを取り扱うことができるようになるという利便がある。
【００１２】
　本考案では、上記第２出力コネクタが、上記デジタルカメラのピン型端子でなる直流入力端子に嵌脱される筒状電極とその筒状電極に設けられた把手部とを有し、上記筐体に、上記筒状電極を抜き差して上記第２出力コネクタを着脱するためのフック部が備わっていることが望ましい。これによれば、当該補助電源措置を持ち歩くときや当該補助電源装置を携帯電話機の補助電源として用いる場合などに、デジタルカメラの直流入力端子の相手方コネクタである第２出力コネクタの筒状電極を筐体のフック部に装着してその第２出力コネクタを格納しておくことができ、その格納時には、電気コードが収縮して垂れ下がったりしなくなる。そのため、第２出力コネクタを使わないときでも、その第２出力コネクタや電気コードがじゃまにならないという利点がある。
【考案の効果】
【００１３】
　以上のように、本考案に係る携行用機器の共用補助電源装置は、携行用機器としての携帯電話機やデジタルカメラに何らの対策も講じることなく、それらの携行用機器の補助電源として用いることができるという効果が奏される。また、携帯電話機の補助電源として用いる場合には、その携帯電話機に一体化されて携帯電話機と当該補助電源装置とを片手で取り扱うことが可能であり、同様に、デジタルカメラの補助電源として用いる場合には、そのデジタルカメラに一体的に取り付けてデジタルカメラと当該補助電源装置とを片手で取り扱うことが可能であるので、使い勝手にも優れている。さらに、第２出力コネクタを使わないときには、その第２出力コネクタを筐体のフック部にじゃまにならないように装着しておくことができるという利点があり、第１出力コネクタを嵌合型端子として当該補助電源装置の筐体に固定された構成を採用すると、その第１出力コネクタを使わないときでもそれがじゃまになることがないという利点がある。
【考案を実施するための最良の形態】
【００１４】
　図１は本考案に係る補助電源装置の正面図、図２は図１のＩＩ矢視図、図３は図２のＩＩＩ矢視図、図４は使用状態説明図である。
【００１５】
　図１〜図３に示した補助電源装置は、その筐体１が、電池ホルダーとしての電源収容部１２と、配線基板やその他の必要とされる電気電子部品などを内蔵している筐体主部１３とを一体に備えている。
【００１６】
　筐体主部１３の上部に、携帯電話機の直流入力端子（不図示）を相手方コネクタとする第１出力コネクタ２が固定されている。この第１出力コネクタ２は、相手方コネクタである携帯電話機の直流入力端子に対して嵌脱される横長の筒形ケースの内部に電極が配備されたコネクタ（嵌合型端子）であって、携帯電話機の直流入力端子に挿入することによってその電極が携帯電話機の直流入力端子に電気的接続されるようになっている。そして、この第１出力コネクタ２を携帯電話機の直流入力端子に嵌合すると、当該補助電源装置がその携帯電話機に結合されて両者が一体化する。そのため、当該補助電源装置が携帯電話機に対してぐらついたり当該補助電源装置が携帯電話機から垂れ下がったりする状態にはならない。筐体主部１３の上部にはヒンジ１４を介してカバー１５が取り付けられており、嵌合型端子である第１出力コネクタ２を使わないときには、そのカバー１５を閉じることによって、第１出力コネクタ２を塵芥や水分の付着から防護することができるようになっている。
【００１７】
　電源収容部１２の下部から、弾性伸縮可能でコイル巻き状に保形された電気コード３１が引き出されていて、この電気コード３１の先端に第２出力コネクタ３が設けられている。この第２出力コネクタ３は、デジタルカメラのピン型端子でなる直流入力端子（不図示）を相手方コネクタとするプラグでなり、その直流入力端子に嵌脱される筒状電極３２とその筒状電極３２に設けられた把手部３３とを有している。これに対し、電源収容部１２に具備された開閉カバー１６にＵ形のフック部１７が合成樹脂で一体成形されていて、そのフック部１７に上記筒状電極３２を抜き差しすることによって、上記第２出力コネクタ３を筐体１に着脱することができるようになっている。しかも、そのようにしてフック部１７を介して第２出力コネクタ３を筐体１に装着したときには、電気コード３１がその弾性により収縮して電源収容部１２の片側側部に格納されるようになっている。
【００１８】
　４は電圧切換え手段を操作するための切換えスイッチである。電圧操作手段は、電源収容部１２に収容された乾電池の１次出力電圧を低電圧と高電圧との２種類の２次出力電圧に択一的に切り換えて上記第１又は第２の出力コネクタに印加する機能を備えている。電圧切換え手段としては、たとえば、電源収容部に収容されて直列接続された乾電池の出力端子と第１出力コネクタ２又は第２出力コネクタ３とをつなぐ電路中に異なる抵抗値を示す抵抗素子を並列に介在し、上記切換えスイッチ４の切換え動作によってそれらの抵抗素子のいずれかが機能するような構成を採用することが可能である。切換えスイッチ４は筐体主部１３に設けられた横長開口４１に配備されていて、左右にスライドさせてその位置を切り換えることにより通電路を切り換える機能を備えている。具体的には、切換えスイッチ４の位置を左右に切り換えると、電源収容部１２に収容された乾電池の１次出力電圧が低電圧（たとえば４．２Ｖ）と高電圧（たとえば５Ｖ）との２種類の２次出力電圧に択一的に切り換えられて上記第１又は第２の出力コネクタ２，３に印加される。
【００１９】
　さらに、筐体主部１２の下部に、ねじ軸５１と、このねじ軸５１を回転操作するための操作つまみ５２とが備わっている。このねじ軸５１は、デジタルカメラに備わっているカメラ設置台取付用ねじ孔（不図示）に着脱される。
【００２０】
　以上のように構成された補助電源装置では、電源収容部１２に、市販されている汎用の乾電池が所要数収容される。電源収容部１２への乾電池の出入れは、開閉カバー１６を開くことによって行われる。
【００２１】
　この補助電源装置は、４．２Ｖ又は５Ｖの直流電圧を携行用機器に供給できるものであって、携行用機器の直流入力端子が上記した第１出力コネクタ２又は第２出力コネクタ３のいずれかに適合するものであれば、それらの標準電源の電力が減衰したときに補助電源装置として用いることができる。すなわち、補助電源装置を携帯電話機の補助電源として用いる場合には、切換えスイッチ４をスライドさせることにより、２次出力電圧としてその携帯電話機の動作電圧に適合する電圧である５Ｖを選択し、併せて、図４に示したように携帯電話機Ｐの直流入力端子（不図示）に嵌合型端子である第１出力コネクタ２を嵌合する。このようにすると、電源収容部１２に収容されている電源としての乾電池の電力が、携帯電話機Ｐの直流入力端子に入力されるので、携帯電話機Ｐがその乾電池の電力で作動するようになる。
【００２２】
　これに対し、補助電源装置をデジタルカメラの補助電源として用いる場合には、切換えスイッチ４をスライドさせることにより、２次出力電圧としてそのデジタルカメラの動作電圧に適合する電圧である４．２Ｖ又は５Ｖのいずれかの適切な電圧を選択し、併せて、デジタルカメラの直流入力端子（不図示）にプラグでなる第２出力コネクタ３を接続する。このようにすると、電源収容部１２に収容されている電源としての乾電池の電力が、デジタルカメラの直流入力端子に入力されるので、デジタルカメラＣがその乾電池の電力で作動するようになる。
【００２３】
　また、補助電源装置を携帯電話機の補助電源として用いる場合には、第１出力コネクタ２が当該補助電源装置を携帯電話機に結合して一体的に支持するので、携帯電話機Ｐと当該補助電源装置とを１つの一体化された機器として片手だけでそれらを取り扱うことができるようになる。これに対し、補助電源装置をデジタルカメラの補助電源として用いる場合には、図４のように、デジタルカメラＣのカメラ設置台取付用ねじ孔（不図示）に、当該補助電源装置のねじ軸５１をねじ合わせると、デジタルカメラＣと当該補助電源装置とを１つの一体化された機器として片手だけでそれらを取り扱うことができるようになる。　　　
【００２４】
　また、この実施形態では、補助電源措置を持ち歩くときや補助電源装置を携帯電話機の補助電源として用いる場合などに、デジタルカメラＣの直流入力端子の相手方コネクタである第２出力コネクタ３の筒状電極３２をフック部１７に装着してその第２出力コネクタ３を格納しておくことができ、その格納時には、電気コード３１が電源収容部１２の片側側部に収縮状態で格納されている。そのため、第２出力コネクタ３を使わないときでも、その第２出力コネクタや電気コードがじゃまにならない。
【００２５】
　この実施形態では、第１携行用機器が携帯電話機Ｐであり、第２携行用機器がデジタルカメラＣであるものを説明したけれども、第１及び第２の携行用機器は、携帯電話機ＰやデジタルカメラＣ以外の機器であってもよい。
【図面の簡単な説明】
【００２６】
【図１】本考案に係る補助電源装置の正面図である。
【図２】図１のＩＩ矢視図である。
【図３】図２のＩＩＩ矢視図である。
【図４】使用状態説明図である。
【符号の説明】
【００２７】
　１　筐体
　２　第１出力コネクタ
　３　第２出力コネクタ
　１２　電源収容部
　１７　フック部
　３１　電気コード
　３２　筒状電極
　３３　把手部
　５１　ねじ軸
　Ｃ　デジタルカメラ
　Ｐ　携帯電話機
【図１】
0003099614.tif 000003
【図２】
0003099614.tif 000004
【図３】
0003099614.tif 000005
【図４】
0003099614.tif 000006